(57)【要約】    【課題】  閉蓋作業を容易にすると共に閉蓋作業の機械化を実現することができる包装構造体を提供する。    【解決手段】  包装構造体１００は、第１面７の上端縁に連接される第１天面フラップ１と、第４面１０の上端縁に連接される内フラップ部４と、第２面８の上端縁に連接される内フラップ部２と、第３面９の上端縁に連接される第２天面フラップ３とを備え、内フラップ部２，４は、第１天面フラップ１側に、上端縁と下端縁との長さと略等しい半径の円弧となる稜線を有するＲ部１２を備える。【選択図】      図１
2006199339.tif 000002
【特許請求の範囲】
【請求項１】
４枚の側板と、前記側板のうちの対向する一対の側板の上端縁に夫々連接された一対の内フラップと、前記側板のうちの他の１つの上端縁に連接されて前記内フラップを覆うように折り込まれる第１天面フラップと、前記側板のうちのさらに他の１つの上端縁に連接されて前記第１天面フラップを覆うように折り込まれる第２天面フラップとを備える包装構造体において、前記内フラップ上端縁の各々の前記第１天面フラップ側角部は円弧をなすことを特徴とする包装構造体。
【請求項２】
前記円弧の半径は、前記内フラップの上端縁及び下端縁の距離と略等しいことを特徴とする請求項１記載の包装構造体。
【請求項３】
前記第１天面フラップに連設された側板及び前記第１天面フラップは、前記第１天面フラップに連設された側板及び前記第１天面フラップの連設部を跨ぐように形成された切目と、前記第１天面フラップに連設された側板側を基端にして前記切目に従って引き出されることによって形成され、前記第２天面フラップに差し込まれて前記第２天面フラップを開蓋不能にロックする舌片状のロックタブとを備え、前記第１天面フラップは、前記切目の上端縁と接する部位に切り欠きを備えることを特徴とする請求項１又は２記載の包装構造体。
【発明の詳細な説明】
【技術分野】
【０００１】
本発明は、包装構造体に関し、特に、複数のフラップによって閉蓋する包装構造体に関する。
【背景技術】
【０００２】
図６は、従来の包装構造体の斜視図である。
【０００３】
図６において、包装構造体６００は、矩形の底面３１と、底面３１に連接されて正面となる第１面２７と、底面３１に連接されて右側面となる第２面２８と、底面３１に連接されて裏面となる第３面２９と、底面３１に連接されて左側面となる第４面３０と、第１面２７の上端縁に連接される第１天面フラップ２１と、第２面２８の上端縁に連接される内フラップ部２２と、第３面２９の上端縁に連接される第２天面フラップ２３と、第４面３０の上端縁に連接される内フラップ部２４とを備える。
【０００４】
第１天面フラップ２１及び第１面２７は、第１天面フラップ２１及び第１面２７の連設部を跨ぐように形成された切目と、第１面２７側を基端にして切目に従って引き出されることによって形成され、後述する切り込み６ａに差し込まれて第２天面フラップ２３を開蓋不能にロックする舌片状のロックタブ２５と、ロックタブ２５が引き出されることによって形成される孔２１ｂとを備え、第２天面フラップ３は、上端縁中央部に連設されて孔１ｂに差し込まれる差し込みフラップ６と、差し込みフラップ６との連設部に形成された切り込み６ａとを備える。
【０００５】
また、従来の包装構造体６００には、内フラップ部２２，２４に抜き穴や折り曲げ部が設けられることによって新たな機能が追加されたものがある（例えば、特許文献１参照）。
【０００６】
さらに、従来の包装構造体には、切り込み６ａに差し込まれたロックタブ２５を容易に引き出すことができるようにするために、第２天面フラップ２３に切り溝が設けられ、切り溝に指をかけることによって第２天面フラップ部２３のロックを容易にはずせるようにしたものがある（例えば、特許文献２参照）。
【特許文献１】特開２００２−２６４９３１号公報（第４頁、図１）
【特許文献２】特開２００２−１０４３７９号公報（第４頁、図２）
【発明の開示】
【発明が解決しようとする課題】
【０００７】
しかしながら、従来の包装構造体６００は、第１天面フラップ２３及びロックタブ２５を有しているので、その構造が複雑である。これにより、包装構造体６００の閉蓋作業が繁雑になり、多くの時間が必要となり、加えて、閉蓋作業の際に引っかかりやすく、作業の機械化は困難であり、高価な機械が必要となる。
【０００８】
また、従来の包装構造体６００において、内フラップ部２２，２４の第１天面フラップ２１側の稜線は、直線であるので（図７）、最も内側となる内フラップ部２２，２４の折り曲げが完全に終了しないと、第１天面フラップを閉じる事ができず、内フラップ部２２，２４の折り曲げが完全に終了しないうちに第１天面フラップ２１を閉じようとすると、第１天面フラップが折れ曲がることがある。仮にこの内フラップ２２，２４が取り除かれた場合、閉蓋時に第１天面フラップ２３及び第２天面フラップ２１の両側に隙間が生じるので、包装構造体６００の強度が低下する構造になり、また、包装構造体６００の外観が悪くなる。
【０００９】
さらに、従来の包装構造体６００において、ロックタブ２５は、一度引き起こされ、第２天面フラップ２３が閉められた後に、第２天面フラップ２３を固定するために差し込みフラップ２６の切り込み６ａに差し込まれる必要があり、その際、差し込みフラップ２６の差し込み部に引っかかることがあるので、閉蓋作業の作業性が悪く、機械化が困難である。
【００１０】
本発明の目的は、閉蓋作業を容易にすると共に閉蓋作業の機械化を実現することができる包装構造体を提供することにある。
【課題を解決するための手段】
【００１１】
上記目的を達成するために、請求項１記載の包装構造体は、４枚の側板と、前記側板のうちの対向する一対の側板の上端縁に夫々連接された一対の内フラップと、前記側板のうちの他の１つの上端縁に連接されて前記内フラップを覆うように折り込まれる第１天面フラップと、前記側板のうちのさらに他の１つの上端縁に連接されて前記第１天面フラップを覆うように折り込まれる第２天面フラップとを備える包装構造体において、前記内フラップ上端縁の各々の前記第１天面フラップ側角部は円弧をなすことを特徴とする。
【発明の効果】
【００１２】
請求項１記載の包装構造体によれば、内フラップ上端縁の各々の第１天面フラップ側角部は円弧をなすので、閉蓋作業を容易にすると共に閉蓋作業の機械化を実現することができる。
【発明を実施するための最良の形態】
【００１３】
以下、本発明の実施の形態を図面を用いて詳述する。
【００１４】
図１は、本発明による包装構造体の斜視図である。
【００１５】
図１において、包装構造体１００は、矩形の底面１１と、底面１１に連接されて正面となる第１面７と、底面１１に連接されて右側面となる第２面８と、底面１１に連接されて裏面となる第３面９と、底面１１に連接されて左側面となる第４面１０と、第１面７の上端縁に連接される第１天面フラップ１と、第２面８の上端縁に連接される内フラップ部２と、第３面９の上端縁に連接される第２天面フラップ３と、第４面１０の上端縁に連接される内フラップ部４とを備える。
【００１６】
第１天面フラップ１及び第１面７は、第１天面フラップ１及び第１面７の連設部を跨ぐように形成された切目と、切目に従って引き出されることによって形成されると共に第１面７側を基端とする舌片であり、後述する切り込み６ａに差し込まれて第２天面フラップ３を開蓋不能にロックするロックタブ５と、ロックタブ５が引き出されることによって形成された孔１ｂとを備え、第２天面フラップ３は、上端縁中央部に連設されて孔１ｂに差し込まれる差し込みフラップ６と、差し込みフラップ６との連設部に形成された切り込み６ａとを備え、第１天面フラップ１は、切目の上端縁と接する部位に切り欠き部１ａを備え、内フラップ部２，４は、第１天面フラップ１側に、上端縁と下端縁との長さと略等しい半径の円弧となる稜線を有するＲ部１２を備える。
【００１７】
図２は、図１の包装構造体１００の閉蓋工程を説明する図である。
【００１８】
図２において、内フラップ部２，４がａの方向に折り曲げられた後、天面第１フラップ１がｂの方向に折り曲げられる。このとき、天面第１フラップ１は、内フラップ部２，４のＲ部１２に接触する。次に、天面第２フラップ３がｃの方向に折り曲げられ、ロックタブ５がｄの方向に引き出された後、差し込みフラップ６が孔１ｂに差し込まれる。続いて、ロックタブ５が差し込みフラップ６の切り込み６ａに差し込まれることによって、第２天面フラップ６が固定されて、本開蓋工程が終了する。
【００１９】
図３は、図１の包装構造体１００の側面図である。
【００２０】
図３において、内フラップ部２，４は、上端縁と下端縁との長さと略等しい長さの半径のＲ部１２を有するので、内フラップ部２，４がある程度折り曲げられていれば、容易に第１天面フラップ１を折り曲げることができ、もって閉蓋作業を容易にすると共に閉蓋作業の機械化を実現することができる。
【００２１】
図４は、図１の包装構造体１００において、ロックタブ５の引き起こし及び差し込みの工程を説明する図であり、（ａ）は、ロックタブ５を引き起こす場合を示し、（ｂ）は、ロックタブ５を差し込む場合を示す。
【００２２】
図４の包装構造体１００において、切り欠き部１ａにＬ字型のアーム４０が挿入され、アーム４０がｄの方向に動くと同時に、切目に従って第１面７側を基端とする舌片であるロックタブ５が引き出される。
【００２３】
また、包装構造体１００において、差し込みフラップ６が孔１ｂに差し込まれた後、アーム４０がｅの方向に動くことによってロックタブ５が差し込みフラップ６の切り込み６ａに差し込まれる。
【００２４】
図４の包装構造体１００において、第１天面フラップ１は、切目の上端縁と接する部位に切り欠き部１ａを備えるので、第１天面フラップ１と切目との間に隙間ができ、もって、手作業及びアーム４０のようなものを用いた機械作業によって容易にロックタブ５を引き起こすことができ、閉蓋作業を容易にすると共に閉蓋作業の機械化を実現することができる。
【００２５】
また、ロックタブ５の差し込み側は、直線形状であるので、引っ掛かりが無く、もって、手作業及びアーム４０のようなものを用いた機械作業によってより容易にロックタブ５の差し込みを行うことができ、閉蓋作業を容易にすると共に閉蓋作業の機械化を確実に実現することができる。
【００２６】
また、本実施の形態では、内フラップ２，４が有するＲ部１２の半径Ｒは、内フラップ２，４の上端縁と下端縁との長さ２ａと略等しいが、Ｒは、２ａよりも大きい値でもよい（図５）。
【図面の簡単な説明】
【００２７】
【図１】本発明による包装構造体の斜視図である。
【図２】図１の包装構造体の閉蓋工程を説明する図である。
【図３】図１の包装構造体の側面図である。
【図４】図１の包装構造体において、ロックタブの引き起こし及び差し込みの工程を説明する図であり、（ａ）は、ロックタブを引き起こす場合を示し、（ｂ）は、ロックタブを差し込む場合を示す。
【図５】図１の包装構造体の展開図である。
【図６】従来の包装構造体の一例の斜視図である。
【図７】図６の包装構造体の側面図である。
【符号の説明】
【００２８】
１  第１天面フラップ
１ａ  切り欠き部
１ｂ  孔
２  内フラップ
３  第２天面フラップ
４  内フラップ
５  ロックタブ
６  差し込みフラップ
６ａ  切り込み
７  第１面
８  第２面
９  第３面
１０  第４面
【図１】
2006199339.tif 000003
【図２】
2006199339.tif 000004
【図３】
2006199339.tif 000005
【図４】
2006199339.tif 000006
【図５】
2006199339.tif 000007
【図６】
2006199339.tif 000008
【図７】
2006199339.tif 000009